(57)【要約】      （修正有）【課題】頭髪や頭皮を傷めるおそれをなくすためにブラシ部をシリコーンゴムで形成したヘアアイロンを提供する。【解決手段】本考案に係るヘアアイロンは、ハンドル部に接合した棒状のアイロン部が、これを構成する伝熱パイプ１０と、伝熱パイプ１０から放射状に櫛部２３が突出するブラシ部２０とを有し、伝熱パイプ１０は、その外周部の長手方向に断面が凸の形状をなす長手溝１５が設けられ、ブラシ部２０は複数のシリコーンゴム製の櫛片２１から構成され、櫛片２１は、長尺の台座部２２と当該台座部に形成された複数本の櫛部２３とからなり、台座部２２は、その断面が長手溝１５が係合する凸の形状をなしていて、伝熱パイプ１０における長手溝１５に櫛片２１の台座部２２を挿入固定可能に構成したものである。【選択図】図５
0003210512.tif 000002
【実用新案登録請求の範囲】
【請求項１】
ハンドル部に接合した棒状のアイロン部を構成する伝熱パイプと、当該伝熱パイプから放射状に櫛部が突出するブラシ部とを有するヘアアイロンであって、
前記伝熱パイプは、その外周部の長手方向に断面が凸の形状をなす長手溝が設けられ、
前記ブラシ部は１以上のシリコーンゴム製の櫛片から構成され、
前記櫛片は、長尺の台座部と当該台座部に形成された複数本の櫛部とからなり、
前記台座部は、その断面が前記長手溝が係合する凸の形状をなしていて、前記伝熱パイプにおける長手溝に櫛片の台座部を挿入固定可能に構成した
ことを特徴とするブラシ付きヘアアイロン。
【請求項２】
前記伝熱パイプは、２つの伝熱パイプ半体と伝熱パイプ保持具とから構成され、
前記２つの伝熱パイプ半体は、その周方向の断面が対称形状をなしており、
前記伝熱パイプは、前記２つの伝熱パイプ半体を互いに対向させて接合し、前記伝熱パイプ保持具で一体化してなる
ことを特徴とする請求項１に記載のブラシ付きヘアアイロン。
【請求項３】
前記伝熱パイプ半体は、周方向の両端部において内方側に突出すると共に長手方向に延びる垂下壁が設けられ、
前記伝熱パイプは、前記２つの伝熱パイプ半体における垂下壁を互いに対向させて接合し、接合した前記垂下壁を前記伝熱パイプ保持具により狭着して一体化してなる
ことを特徴とする請求項２に記載のブラシ付きヘアアイロン。
【考案の詳細な説明】
【技術分野】
【０００１】
本考案は、ブラシ付きヘアアイロンに関し、特にブラシ部がシリコーンゴム製であるブラシ付きヘアアイロン（以下、単に「ヘアアイロン」という。）に関する。
【背景技術】
【０００２】
従来より、下記特許文献１に示されるヘアアイロンが知られている。すなわち、櫛部材が容易に取り替えられると共にクリーニングが簡単にできるヘアーカール器であって、柄の先端に取付けられ、内部にヒータを備えた筒状加熱体の周面に長さ方向に沿って複数本の楔形溝を等間隔に形成し、これら各溝に夫々櫛部材の基部を着脱自在に挿着させたものであり、筒状加熱体の周面で且つ長さ方向に沿って複数本の楔溝が等間隔をもって形成きれ、これら楔溝に取付けられる櫛部材は合成樹脂により形成され、前記楔溝の断面形状と略同形状の断面形状を有する基部に櫛歯状部材を多数個並列に且つ一体に形成して櫛部材としたものであり、櫛歯が折れても簡単に取り替えることができるものである。
【先行技術文献】
【特許文献】
【０００３】
【特許文献１】実開昭５５−１１５６０１号公報
【考案の概要】
【考案が解決しようとする課題】
【０００４】
しかしながら、上記特許文献１に示すヘアアイロンは、櫛部材の櫛歯が折れることを前提としたものであることから、櫛部材が硬質の合成樹脂で形成したものにであるため、これを使用すれば頭髪や頭皮を傷めるおそれがある。
【０００５】
そこで、本考案者は、上記の問題点に鑑み、頭髪や頭皮を傷めるおそれをなくすためにブラシ部をシリコーンゴムで形成したヘアアイロンを開発した。
【課題を解決するための手段】
【０００６】
本考案の請求項１に係るヘアアイロンは、ハンドル部に接合した棒状のアイロン部を構成する伝熱パイプと、当該伝熱パイプから放射状に櫛部が突出するブラシ部とを有するヘアアイロンであって、前記伝熱パイプは、その外周部の長手方向に断面が凸の形状をなす長手溝が設けられ、前記ブラシ部は１以上のシリコーンゴム製の櫛片から構成され、前記櫛片は、長尺の台座部と当該台座部に形成された複数本の櫛部とからなり、前記台座部は、その断面が前記長手溝が係合する凸の形状をなしていて、前記伝熱パイプにおける長手溝に櫛片の台座部を挿入固定可能に構成したことを特徴とする。
【０００７】
また、本考案の請求項２に係るヘアアイロンは、前記請求項１に記載のヘアアイロンにおいて、前記伝熱パイプは、２つの伝熱パイプ半体と伝熱パイプ保持具とから構成され、前記２つの伝熱パイプ半体は、その周方向の断面が対称形状をなしており、前記伝熱パイプは、前記２つの伝熱パイプ半体を互いに対向させて接合し、前記伝熱パイプ保持具で一体化してなることを特徴とする。
【０００８】
さらに、本考案の請求項３に係るヘアアイロンは、前記請求項２に記載のヘアアイロンにおいて、前記伝熱パイプ半体は、周方向の両端部において内方側に突出すると共に長手方向に延びる垂下壁が設けられ、前記伝熱パイプは、前記２つの伝熱パイプ半体における垂下壁を互いに対向させて接合し、接合した前記垂下壁を前記伝熱パイプ保持具により狭着して一体化してなることを特徴とする。
【考案の効果】
【０００９】
本考案に係るヘアアイロンは、上記のように構成したことにより、ブラシ部が柔軟性があるシリコーンゴム製であるため、これを使用しても、頭髪や頭皮を傷めるおそれがない。また、ブラシ部が熱による伸縮が少ないシリコーンゴム製であるため、ブラシ部のがたつきが少ない。さらに、伝熱パイプに形成した長手溝が、その断面が凸の形状をなしており、ブラシ部の台座部も同様にその断面が凸の形状をなしているため、伝熱パイプからブラシ部が抜け出るおそれがない。しかも、帯電防止加工を施したシリコーンゴムをブラシ部に使用した場合には、ブラシ部に静電気が起きにくいので、毛髪がセットし易い利点がある。さらにまた、シリコーンゴムにより台座部と櫛部とを一体にしてブラシ部を形成しているので、金型の製作費用が安価で済む。シリコーンゴムはゲルマニウムなどの天然鉱石の粉末を配合しやすいので、頭髪に対して天然鉱石が有する効果が発揮できる利点がある。
【００１０】
また、２つの伝熱パイプ半体により伝熱パイプを形成した場合には、一体成型した伝熱パイプよりも伝熱パイプ半体の方が製造し易く、また、２つの伝熱パイプ半体はその断面が左右対称の形状であるため、一方を１８０°反転させると他方と同一形状になるので、１つの金型で一対の伝熱パイプ半体を製作することができる。
【図面の簡単な説明】
【００１１】
【図１】本考案の実施例に係るヘアアイロンの全体斜視図（電源コードは省略）である。
【図２】本考案の実施例に係るヘアアイロンのアイロン部の内部構造を示す長手方向の概略断面図（複雑さを避けるためハッチング省略）である。
【図３】図２におけるＡ−Ａ線拡大端面図（同ハッチング省略）である。
【図４】本考案の実施例に係るヘアアイロンにおける伝熱パイプを、伝熱パイプ半体と伝熱パイプ保持具とに分解した一部切欠斜視図である。
【図５】本考案の実施例に係るヘアアイロンのアイロン部を、伝熱パイプとブラシ部とに分解した一部切欠斜視図である。
【考案を実施するための形態】
【００１２】
次に本考案の好適な実施例を添付の図面に基づいて詳細に説明する。
【実施例１】
【００１３】
図１は本実施例に係るヘアアイロンＡ示し、ヘアアイロンＡは、ハンドル部Ａ１と、ハンドル部Ａ１に接合した棒状のアイロン部Ａ２とから構成される。
【００１４】
アイロン部Ａ２は、図２及び図３に示すように、伝熱パイプ１０と、伝熱パイプ１０から放射状に櫛部２３が突出するブラシ部２０とを有しており、伝熱パイプ１０の内部には、伝熱パイプ１０を加熱するための電気ヒータ３０が設けられている。
【００１５】
伝熱パイプ１０は、図４に示すように、２つの伝熱パイプ半体１０ａ，１０ｂとから構成されており、伝熱パイプ半体１０ａは、これを反転させると伝熱パイプ半体１０ｂとなる対称形状をなしている。また、伝熱パイプ半体１０ａ，１０ｂにはそれぞれ周方向の両端部において内方側に突出すると共に長手方向に延びる垂下壁１１ａ，１１ｂが設けられいる。
【００１６】
この垂下壁１１ａ，１１ｂは、伝熱パイプ半体１０ａ，１０ｂを対向させることにより各垂下壁１１ａ，１１ｂがそれぞれ対向して接合され、伝熱パイプ１０の前後から嵌め込まれる伝熱パイプ保持具１２，１３により一体化されて、伝熱パイプ１０が形成される。すなわち、図４に示す伝熱パイプ保持具１２，１３は、垂下壁１１ａ，１１ｂを挟み込む挟持片１２ａ，１３ａを備えており、挟持片１２ａ，１３ａに垂下壁１１ａ，１１ｂが挟み込まれることにより伝熱パイプ半体１０ａ，１０ｂが固定され、一体化する。伝熱パイプ保持具１２，１３には、その上下の挟持片１２ａ，１３ａを補強するために、適当間隔をおいて補強桟１２ｂ，１３ｂが設けられている。したがって、伝熱パイプ保持具１２，１３自体は上下の挟持片１２ａ，１３ａが補強桟１２ｂ，１３ｂにより結合した一体のものであるが、補強桟１２ｂ，１３ｂを設けず、伝熱パイプ保持具１２，１３それぞれを上下別体に構成してもよい。
【００１７】
なお、本実施例においては、伝熱パイプ１０を２つの伝熱パイプ半体１０ａ，１０ｂにより構成しているが、伝熱パイプ全体を一体成型してもよい。本実施例のように構成した場合には、伝熱パイプ半体１０ａ，１０ｂはそれぞれ成型しやすい利点があり、２つの伝熱パイプ半体１０ａ，１０ｂはその断面が左右対称の形状であるため、一方を１８０°反転させると他方と同一形状になるので、１つの金型で一対の伝熱パイプ半体１０ａ，１０ｂを製作することができる利点がある。
【００１８】
また、伝熱パイプ１０には、その外周部の長手方向に断面が凸の形状をなす複数列の長手溝１５が形成されており、後述するブラシ部２０の台座部が挿入固定できるようになっている。
【００１９】
ブラシ部２０は、図１〜図３に示すように、複数の櫛片２１から構成され、各櫛片２１は台座部２２と櫛部２３とから構成される。櫛片２１は柔軟性のあるシリコーンゴムで一体成型により形成されており、このシリコーンゴムには帯電防止加工が施されており、ゲルマニウムが配合されている。このようにブラシ部２０を構成する櫛片２１をシリコーンゴムで形成したことにより、台座部２２は伝熱パイプ１０からの伝熱に対して伸縮しないので熱変形せず、また、櫛部２３は可撓性があり、頭髪が絡んだり、頭皮に接触したときに曲がりやすくなっている。さらに、シリコーンゴムにより台座部２２と櫛部２３とを一体にしてブラシ部２０を構成する櫛片２１を形成しているので、金型の製作費用が安価で済む。ブラシ部２０に施されている帯電防止加工については、これを必ずしも施す必要はないが、本実施例においては、帯電防止加工により、ブラシ部２０に静電気が起きにくいので、毛髪がセットし易い利点がある。また、ブラシ部２０に配合されているゲルマニウムは、これを必ずしも配合する必要はないが、本実施例においては、頭髪に対してゲルマニウムが有する効果が発揮できる利点がある。
【００２０】
櫛片２１における台座部２２は、図３に示すように、その断面が前記長手溝１５が係合する凸の形状をなしており、図５に示すように、台座部２２が長手溝１５に挿入固定されることにより、櫛片２１が伝熱パイプ１０に固定され、そして、複数の櫛片２１が伝熱パイプ１０に配列固定されることにより、伝熱パイプ１０から櫛部２３が放射状に突出し、アイロン部Ａ２が完成する。なお、台座部２２の底部は、その断面が四角形状でもよく、台形形状でもよい。
【００２１】
本実施例に係るヘアアイロンＡを上記のように構成したことにより、ブラシ部２０が柔軟性のあるシリコーンゴムで形成されているため、これを使用しても、頭髪や頭皮を傷めるおそれがない。また、ブラシ部２０が柔軟性がある反面、熱による伸縮が少ないシリコーンゴム製であるため、伝熱パイプ１０に挿入固定されたブラシ部２０は、これを長期間使用しても経年変化が少なく、ブラシ部２０のがたつきが少ない。さらに、伝熱パイプ１０に形成した長手溝１５は、その断面が凸の形状をなしており、ブラシ部２０の台座部２２も同様にその断面が凸の形状をなしているため、伝熱パイプ１０からブラシ部２０が抜け出るおそれがない。
【００２２】
以上、本考案の実施形態を説明したが、この実施形態は、例として提示したものであり、考案の範囲を限定することは意図していない。この実施形態は、その他の様々な形態で実施されることが可能であり、考案の要旨を逸脱しない範囲で、種々の省略、置き換え、変更を行うことができる。この実施形態やその変形は、考案の範囲や要旨に含まれると同様に、実用新案登録請求の範囲に記載された考案とその均等の範囲に含まれるものである。
【符号の説明】
【００２３】
Ａ………ヘアアイロン
Ａ１……ハンドル部
Ａ２……アイロン部
１０……伝熱パイプ
１０ａ…伝熱パイプ半体
１０ｂ…伝熱パイプ半体
１１ａ…垂下壁
１１ｂ…垂下壁
１２……伝熱パイプ保持具
１２ａ…挟持片
１２ｂ…補強桟
１３……伝熱パイプ保持具
１３ａ…挟持片
１３ｂ…補強桟
１５……長手溝
２０……ブラシ部
２１……櫛片
２２……台座部
２３……櫛部
３０……電気ヒータ
【図１】
0003210512.tif 000003
【図２】
0003210512.tif 000004
【図３】
0003210512.tif 000005
【図４】
0003210512.tif 000006
【図５】
0003210512.tif 000007